(57)【要約】【課題】従来のデジタルコヒーレント受信系においては、局部発振光の光源に要求される光源線幅はより狭くなり、所要光周波数確度も高くなる。デジタルコヒーレント受信系に要するコストが増大し、波長多重のキャリア数が増大するにつれコストがさらに増大する問題があった。【解決手段】本発明の光伝送システムにおけるデジタルコヒーレント受信系では、局部発振光を少なくとも１つのマルチキャリア光源から発生させて、複数の光受信器に対する各局部発振光が一括して発生される。局部発振光源の数を減らし、マルチキャリア光源を用いて波長多重信号光に対する局部発振光を一括発生させることによって、デジタルコヒーレント受信系の構成を大幅に簡素化させコストを低減する。デジタルコヒーレント光通信方式において、信号光を発生する光送信器の光源波長と、光受信器の局部発振光源波長とを簡単に一致させることもできる。【選択図】図２
2011135497.tif 000002
【特許請求の範囲】
【請求項１】
Ｎチャネル（Ｎ＞１）に波長多重された信号光をコヒーレント受信する光伝送システムにおいて、
１以上Ｎ／２以下の整数Ｍ個の種光源を備えた、少なくともＮ個の異なる光周波数を含む局部発振光を発生させるマルチキャリア光源
を備えたことを特徴とする光伝送システム。
【請求項２】
Ｎチャネル（Ｎ＞１）に波長多重された信号光をコヒーレント受信する光伝送システムにおいて、
前記波長多重光から分波された各信号光をコヒーレント検波する複数の光受信器と、
前記複数の光受信器の各々に、前記信号光のコヒーレント受信をするための局部発振光を供給するマルチキャリア光源であって、１以上Ｎ／２以下の整数Ｍ個の種光源を備えた、少なくともＮ個の異なる光周波数を含む局部発振光を発生させるマルチキャリア光源と
を備えたことを特徴とする光伝送システム。
【請求項３】
前記マルチキャリア光源は
少なくとも１つの種光源と、
前記少なくとも１つの種光源から供給された光に対して、前記波長多重化されたＮチャネルの前記信号光の光周波数間隔に等しい間隔で１つ以上のサイドバンド光を生じさせる光強度変調器または光位相変調器と
を含むことを特徴とする請求項１または２に記載の光伝送システム。
【請求項４】
前記マルチキャリア光源は、
少なくとも１つの種光源と
前記少なくとも１つの種光源から供給された光に対して、位相変調光を生じさせる光位相変調器と、
前記光位相変調器からの前記位相変調光出力が入射される分散性媒質と、
前記分散性物質からの出力光に対して、周波数チヤープを与える第２の光位相変調器と
をさらに含むことを特徴とする請求項１または２に記載の光伝送システム。
【請求項５】
前記マルチキャリア光源は、
サイドバンドを含む光信号を出力する少なくとも１つの種パルス光源と、
前記種パルス光源から出力された前記サイドバンドの数を増加させる光非線形媒質と
を含むことを特徴とする請求項１または２に記載の光伝送システム。
【請求項６】
前記光強度変調器もしくは前記光位相変調器または前記種パルス光源へ、前記光周波数間隔に等しい光周波数を有する光信号を与える発振器をさらに含むことを特徴とする請求項２乃至５いずれかに記載の光伝送システム。
【請求項７】
１以上Ｎ／２以下の整数Ｌ個の種光源を備え、少なくともＮ個の異なる光周波数を有する基準光を発生させる第２のマルチキャリア光源出力をさらに備え、
前記基準光を変調しまたは基準として用いて、前記信号光が発生されることを特徴とする請求項１乃至６いずれかに記載の光伝送システム。
【請求項８】
前記マルチキャリア光源からの前記局部発振光の少なくとも１つに基づいて、前記信号光の波長誤差を検出し、前記検出された波長誤差に基づいて前記マルチキャリア光源の前記種光源に波長誤差を補正する制御信号をフィードバックする波長誤差補正手段をさらに備えたことを特徴とする請求項１乃至７いずれかに記載の光伝送システム。
【発明の詳細な説明】
【背景技術】
【０００１】
本発明は、波長多重された光信号をコヒーレント受信する光伝送システムに関する。
【０００２】
基幹光ネットワークの通信トラフィックは、増大の一途をたどっており、１００Ｇビットイーサネットなどの高速インタフェースの実用化が目前にある。このような要求を支える技術として、電子回路の超高速化により、デジタル信号処理を適用した、いわゆるデジタルコヒーレント技術が大容量光通信の有力な手段となりつつある。
【０００３】
図１は、従来のデジタルコヒーレント受信系の構成を示す図である（非特許文献１を参照）。図１のデジタルコヒーレント受信系は、送信側と受信側から構成されている。送信側においては、キャリア信号２０（光周波数ν1）に対して、光送信器１−１で光の振幅および／または位相が変調され、信号光２１が得られる。光送信器からの信号光は、光合波器２において波長多重され、波長多重信号光２２として受信側へ送信される。他の光周波数（ν2、・・、νN）についても同様に動作する。
【０００４】
受信側では、受信された波長多重信号光は光分波器３によって分波された後、分波された各信号光は光受信器４−１、４−２、・・４−Ｎで電気信号に変換される。各光受信器は、コヒーレント検波手段５−１、５−２、・・５−Ｎを備えている。各信号光２３は、局部発振光源６−１、６−２、・・６−Ｎからの出力２４とのビート信号を検出することによって、電気信号に変換される。コヒーレント検波手段５−１、５−２、・・５−Ｎは、通常、偏波および位相ダイバーシティのための光学系ならびに光検出器から構成される。
【０００５】
光受信器において所望の誤り率で信号光を受信するためには、上述のビート信号の雑音レベルを所要値まで抑圧する必要がある。このため、図１に示したデジタルコヒーレント受信系よりも前のコヒーレント受信技術では、局部発振光を信号光に対して光位相同期させることが不可欠であった。図１に示したようなデジタルコヒーレント技術の登場によって、信号光に対して同期していないフリーラン状態の局部発振光を用いても、信号光を受信することが可能となった。
【先行技術文献】
【非特許文献】
【０００６】
【非特許文献１】Jens C. Rasmussen他２名、「100 Gbps光伝送システムのためのデジタルコヒーレント受信技術」2009年9月  FUJITSU. 60, 5, p.476-483 インターネット  ＵＲＬ：  http://img.jp.fujitsu.com/downloads/jp/jmag/vol60-5/paper18.pdf
【発明の概要】
【発明が解決しようとする課題】
【０００７】
しかしながら、デジタルコヒーレント技術によって上述の光位相同期技術は不要となったものの、中心波長（光周波数）および線幅（キャリアのスペクトル幅）が管理された局部発振光を生じる光源を、波長多重の数分だけ用意する必要がある。特に、変調方式における多重度が増加し変調シンボルが多値化されるにつれて、局部発振光に対する要求条件も厳しくなる。局部発振光の光源に要求される光源線幅はより狭くなり、所要光周波数確度もより高くなって、デジタルコヒーレント受信系に要するコストが増大する。さらに、波長多重の数が増大するにつれて、コストは増大する。
【０００８】
本発明は、上述のような課題に鑑みてなされたものであって、その目的は、上述のデジタルコヒーレント技術が導入されるとともに生じた、局部発振光源および光受信器に生じた新たな技術的問題およびコスト増大の問題を解決する光伝送システムおよびマルチキャリア光源を提供する。
【課題を解決するための手段】
【０００９】
本発明は、このような目的を達成するため、請求項１に記載の発明は、Ｎチャネル（Ｎ＞１）に波長多重された信号光をコヒーレント受信する光伝送システムにおいて、１以上Ｎ／２以下の整数Ｍ個の種光源を備えた、少なくともＮ個の異なる光周波数を含む局部発振光を発生させるマルチキャリア光源を備えたことを特徴とする光伝送システムである。
【００１０】
請求項２の発明は、Ｎチャネル（Ｎ＞１）に波長多重された信号光をコヒーレント受信する光伝送システムにおいて、前記波長多重光から分波された各信号光をコヒーレント検波する複数の光受信器と、前記複数の光受信器の各々に、前記信号光のコヒーレント受信をするための局部発振光を供給するマルチキャリア光源であって、１以上Ｎ／２以下の整数Ｍ個の種光源を備えた、少なくともＮ個の異なる光周波数を含む局部発振光を発生させるマルチキャリア光源とを備えたことを特徴とする光伝送システムである。
【００１１】
請求項３の発明は、請求項１または２の光伝送システムであって、前記マルチキャリア光源は少なくとも１つの種光源と、前記少なくとも１つの種光源から供給された光に対して、前記波長多重化されたＮチャネルの前記信号光の光周波数間隔に等しい間隔で１つ以上のサイドバンド光を生じさせる光強度変調器または光位相変調器とを含むことを特徴とする。
【００１２】
請求項４の発明は、請求項１または２の光伝送システムであって、前記マルチキャリア光源は、少なくとも１つの種光源と前記少なくとも１つの種光源から供給された光に対して、位相変調光を生じさせる光位相変調器と、前記光位相変調器からの前記位相変調光出力が入射される分散性媒質と、前記分散性物質からの出力光に対して、周波数チャープを与える第２の光位相変調器とをさらに含むことを特徴とする。
【００１３】
請求項５の発明は、請求項１または２の光伝送システムであって、前記マルチキャリア光源は、サイドバンドを含む光信号を出力する少なくとも１つの種パルス光源と、前記種パルス光源から出力された前記サイドバンドの数を増加させる光非線形媒質とを含むことを特徴とする。
【００１４】
請求項６の発明は、請求項２乃至５いずれかの光伝送システムであって、前記光強度変調器もしくは前記光位相変調器または前記種パルス光源へ、前記光周波数間隔に等しい光周波数を有する光信号を与える発振器をさらに含むことを特徴とする。
【００１５】
請求項７の発明は、請求項１乃至６いずれかの光伝送システムであって、１以上Ｎ／２以下の整数Ｌ個の種光源を備え、少なくともＮ個の異なる光周波数を有する基準光を発生させる第２のマルチキャリア光源出力をさらに備え、前記基準光を変調しまたは基準として用いて、前記信号光が発生されることを特徴とする。
【００１６】
請求項８の発明は、請求項１乃至７いずれかの光伝送システムであって、前記マルチキャリア光源からの前記局部発振光の少なくとも１つに基づいて、前記信号光の波長誤差を検出し、前記検出された波長誤差に基づいて前記マルチキャリア光源の前記種光源に波長誤差を補正する制御信号をフィードバックする波長誤差補正手段をさらに備えたことを特徴とする。
【発明の効果】
【００１７】
本発明の光伝送システムでは、光周波数および線幅が管理された波長多重数分の局部発振光源を備える代わりに、マルチキャリア光源を用いて波長多重信号光に対する局部発振光を一括して発生させる。これによって、デジタルコヒーレント受信系の構成を大幅に簡素化させコストを低減することができる。さらには、デジタルコヒーレント光通信方式において、信号光を発生する光送信器の光源波長と、光受信器の局部発振光源波長とを簡単に一致させることができる。
【図面の簡単な説明】
【００１８】
【図１】従来技術のデジタルコヒーレント受信系の構成を示す図である。
【図２】本発明のデジタルコヒーレント受信系を含む光伝送システムの構成を示す図である。
【図３】本発明に係るマルチキャリア光源の第１の実施例を示す図である。
【図４】本発明に係るマルチキャリア光源の第２の実施例を示す図である。
【図５】本発明に係るマルチキャリア光源の第３の実施例を示す図である。
【図６】本発明に係るマルチキャリア光源の第４の実施例を示す図である。
【図７】本発明に係るマルチキャリア光源の第５の実施例を示す図である。
【図８】本発明の第２の実施形態の光伝送システムの構成を示す図である。
【図９】本発明の第３の実施形態の光伝送システムの構成を示す図である。
【発明を実施するための形態】
【００１９】
以下、本発明の実施形態について詳細に説明する。本発明に係るデジタルコヒーレント受信系においては、複数の光受信器に対する各局部発振光が少なくとも１つのマルチキャリア光源から発生される点に特徴がある。従来技術において、波長多重数分の別個の局部発振光源から独立して局部発振光が発生されていた点と相違する。
【００２０】
（第1の実施形態）
図２は、本発明のデジタルコヒーレント受信系を含む第１の実施形態に係る光伝送システムの構成を示す図である。本実施形態のデジタルコヒーレント受信系は、図１に示した従来のデジタルコヒーレント受信系の構成と比べて、光受信器および局部発振光源の構成の点で相違している。この相違点に絞って説明する。
【００２１】
送信側から受信された波長多重信号光２２は、光分波器３によって分波され、分波された各信号光２３は各光受信器４−１、４−２、・・４−Ｎによって電気信号に変換される。各光受信器は、コヒーレント検波手段５−１、５−２、・・５−Ｎを備えているが、従来技術の構成のように個々の局部発振光源から局部発振光を与えられない。その代わり、各光受信器へ与えられる局部発振光２４は、マルチキャリア局部発振光源８から供給される。すなわち、１つのマルチキャリア局部発振光源８において必要なキャリア数Ｎの局部発振光を一括して発生させる。Ｎ個の局部発振光は、光分波器７によって分波された後、各局部発信光２４が、各信号光２３に対応したコヒーレント検波手段に供給される。
【００２２】
本実施形態においては、１つのマルチキャリア光源８が用いられているが、後述するように２以上のキャリアを発生する複数のマルチキャリア光源を用いる構成であっても良い。
【００２３】
（マルチキャリア光源の第１の実施例）
図３は、本発明に係る光伝送システムで使用されるマルチキャリア局部発振光源の第１の実施例の構成を示す図である。本実施例では、マルチキャリア局部発振光は、以下のように発生される。種光源１１から出力される単一光周波数の光２７を発振器１０の出力によって駆動される光変調器１２で変調することによって、複数のサイドバンド光２４を発生させる。光変調器１２は、光強度変調器または光位相変調器のいずれかが用いられる。マルチキャリア光の周波数間隔Δｆと等しい周波数を有する周期的信号が、発振器１０から光変調器に与えられる。この周期的信号による単一光周波数光の変調を経て、光変調器２４からマルチキャリア局部発振光が発生される。図３には、種光源１１および光変調器２４の光周波数スペクトラムも示されている。
【００２４】
（マルチキャリア光源の第２の実施例）
図４は、本発明に係る光伝送システムで使用されるマルチキャリア局部発振光源の第２の実施例の構成を示す図である。本実施例では、上述の第１の実施例おける種光源を複数備えることを特徴とする。すなわち、ν1の光周波数を有する第１の種光源１１−１と、ν2の光周波数を有する第２の種光源１１−２とを備え、それぞれの単一光周波数の光は光合波器１３で合波される。ここで、２つの光周波数の差ν2− ν1は、発振器１０の出力の周波数、すなわち発生するマルチキャリアの周波数間隔Δｆの整数（ｎ）倍となるように設定されている。この関係を満たすことによって、光変調器１２から、周波数間隔Δｆで等間隔に配列されたマルチキャリア局部発振光２４を発生することができる。
【００２５】
サイドバンドの発生数は、光位相変調器または後述する光非線形媒質によって種光源からの光に与えられるチャープ（歪み量）に概ね比例し、周波数間隔 Δｆに反比例する。したがって、光位相変調器などの条件によっては、サイドバンドの発生数が十分でなく、発生できるキャリア数の制限が生じ得る。本実施例によれば、１つの種光源から発生させることのできるキャリア数が少ない場合でも、より多くのキャリア数を確保することが可能となる。
【００２６】
種光源の数Ｍは、キャリア数をＮ（１以上）とすれば、１以上Ｎ／２以下の整数とすることができる。例えば、Ｎを１０とすると、種光源の数Ｍは最大５となる。第１の実施例は、Ｍ＝１の場合に相当する。また、第２の実施例は、Ｍ＝２の場合に相当する。Ｍの値には様々な選択が可能であることに注意されたい。
【００２７】
（マルチキャリア光源の第３の実施例）
図５は、本発明に係る光伝送システムで使用されるマルチキャリア局部発振光源の第３の実施例の構成を示す図である。本実施例の構成のマルチキャリア局部発振光源は、種光源１１に加え光強度変調器１４および光位相変調器１５を備えている。種光源１１からの光２７は、光強度変調器１４によってパルス変調を受けてパルス化され、パルス変調によって生じるサイドバンドを有する光２８が得られる。さらに、光強度変調器１４によってパルス化された光２８に、光位相変調器１５によって周波数チャープを与えることで、第１の実施例のマルチキャリア局部発振光源と比べキャリア数がより増加し、かつ各キャリア間の強度偏差がより小さいマルチキャリア光２４を発生することができる。光強度変調器へのバイアス条件の調節によっては、光強度変調器１４の出力光２８のスペクトルは図５に示したような３キャリアではなく２キャリアとなり得るが、この場合でも、同じ構成を用いてキャリア数を増やすことができる。
【００２８】
（マルチキャリア光源の第４の実施例）
図６は、本発明に係る光伝送システムで使用されるマルチキャリア局部発振光源の第４の実施例の構成を示す図である。本実施例のマルチキャリア局部発振光源は、種光源１１に加え、２つの光位相変調器１４−１、１４−２および分散性媒質１６を備えている。第１の光位相変調器１４−１およびその出力光が入力される分散性媒質１６は、第２の実施例のマルチキャリア光源における光強度変調器１４と同様なパルス変調動作を行なう。本実施例においても、分散性媒質１６から出力されるパルス化された出力光２８に、第２の光位相変調器１４−２によって周波数チャープを与えることによって、マルチキャリア局部発振光２４を発生させることができる。
【００２９】
ここで分散性媒質としては、例えば、単一モードファイバないしファイバ型回折格子または光干渉計などを利用することができる。
【００３０】
（マルチキャリア光源の第５の実施例）
図７は、本発明に係る光伝送システムで使用されるマルチキャリア局部発振光源の第５の実施例の構成を示す図である。本実施例のマルチキャリア局部発振光源は、繰り返し光パルスを出力する種パルス光源１８と、種パルス光源１８からのパルス出力光２７が入力される非線形物質１７とを備えている。さらに、発振器１０は、マルチキャリア光の周波数間隔と等しい周波数の周期的信号を、種パルス光源１８に供給する。種パルス光源１８からの出力光２７のスペクトルは、光非線形媒質１７の中で拡大し、拡大されたスペクトルの幅に比例して、マルチキャリア局部発振光２４に含まれるキャリア数も増加する。
【００３１】
種バルス光源１８としては、パルス光を発生するレーザ光源を用いる。具体的には、モード同期レーザ（半導体、固体、導波路型）がある。非線形媒質としては、例えば、ＬｉＮｂＯ3（ニオブ酸リチウム）、 ＫＴＮ（ＫＴａ1-xＮｂxＯ3）等の化合物デバイスもしくはこれらに疑似位相整合処理を施したもの、単一モードファイバまたはフォトニック結晶ファイバなどを利用することができる。
【００３２】
上述のいずれの実施例においても、種光源１１としては、ＣＷ（連続波）光を発生する単一モードレーザ光源を用いることができ、具体的には半導体レーザ、固体レーザ、導波路型レーザを使用することができる。その光周波数は、例えば、１５３０〜１６００ｎｍの間である。発振器１０としては、正弦波発振器を使用することができ、その周波数は、例えば、１〜５０ＧＨｚの間である。光位相変調器および光強度変調器としては、半導体またはＬｉＮｂＯ3のものを使用することができる。
【００３３】
上述の各実施例のマルチキャリア光源は、単独でだけでなく、それぞれを組合せることもできる。例えば、異なる光周波数のキャリアを有する異なる実施例のマルチキャリア光源を併置することができる。
【００３４】
また、上述の各実施例におけるマルチキャリア光源の出力強度を増大させるために、マルチキャリア局部発振光２４の後段側に光増幅器を設置することもできる。
【００３５】
また、上述のマルチキャリア光源の各出力キャリアのレベルを調整するために、マルチキャリア局部発振光２４の後段側に、光レベル等化手段を設置することもできる。
【００３６】
上述のように本発明は、デジタルコヒーレント受信系を含む光伝送方式または光伝送システムに係るものであり、各光受信器に供給する局部発振光を発生するマルチキャリア光源に係るものである。
【００３７】
（第２の実施形態）
第１の実施形態で説明したマルチキャリア局部発振光源は、デジタルコヒーレント受信系側に使用されていたが、受信側だけでなく送信側にマルチキャリア局部発振光源を備えることもできる。送信側に備えられた第２のマルチキャリア光源の出力光は、各光送信器に供給されるキャリア周波数の基準として用いることができる。さらに、第２のマルチキャリア光源の出力光を送信用光源として用いることもできる。
【００３８】
図８は、本発明の第２の実施形態に係る光伝送システムの構成を示す図である。本実施形態の構成は、受信側の構成については、図２に示した局部発振光用のマルチキャリア光源８−１を備えた第１の実施形態の光伝送システムと同一である。しかしながら、送信側にさらに第２のマルチキャリア光源８−２を備えている点で第１の実施形態と相違する。具体的には、送信側の各光送信器１−１、１−２、・・１−Ｎは、キャリア信号２０（周波数は、ν1、ν2・・νN）が入力され、各光送信器で光の振幅または位相が変調されて、信号光２１が得られる。さらに、各光送信器に対しては、第２のマルチキャリア光源８−２から、基準光２６が供給される。すなわち、第２のマルチキャリア光源８−２で発生された複数の基準光が、光分波器７−２によって分波され各光送信器へ供給される。第２のマルチキャリア光源８−２としては、前述の各実施例のマルチキャリア局部発振光源と同じ構成のものを使用できる。
【００３９】
図８では、各光送信器に、キャリア信号２０と基準光２６とが別個に供給されており、基準光２０は、キャリア周波数の基準として光送信器の同期のために使用される。しかし、基準光２８としてキャリア光を光送信器に供給しても良い。この場合は、図８におけるキャリア光２０は不要となる。第１のマルチキャリア光源および第２のマルチキャリア光源は、それぞれ別個の構成のものでも良い。
【００４０】
（第３の実施形態）
図９は、本発明の第３の実施形態に係る光伝送システムの構成を示す図である。全体の構成は、第２の実施形態とほぼ同じであるが、受信側に波長誤差検出回路を備えている点で、第２の実施形態と相違している。すなわち、第１のマルチキャリア光源８−１からのマルチキャリア光の一部が波長誤差検出回路９に与えられる。波長誤差検出回路９からの制御信号が、第１のマルチキャリア光源８−１の中の種光源（図示されず）へフィードバックされている。第１のマルチキャリア光源８−１からのマルチキャリア光の中で、光分波器７−１によって分波される局部発振光の中の１つを、波長誤差検出回路９に与えても良い。
【００４１】
デジタルコヒーレント光通信方式においては、光送信器の光源波長と、光受信器の局部発振光源の波長とがずれていた場合、その誤差を検出して、局部発振光の光周波数（波長）を補正する必要がある。本発明のマルチキャリア局部発振光源における各局部発振光の周波数間隔Δｆは、共通の種光源からの光を利用しているため原理的に精度が高い。このため、図９に示されたように送信側および受信側それぞれにマルチキャリア光源を用いる場合には、受信側のマルチキャリア光源８−１からの局部発振光のうちのどれか１つの波長に基づいて、波長誤差を検出することができる。検出された誤差量に応じた制御信号を、マルチキャリア局部発振光源の種光源１１にフィードバックすれば、波長誤差の検出機能と局部発振光源の波長補正機能が、受信側で波長誤差検出回路９の１つで済むことになる。
【００４２】
また、通常のデジタルコヒーレント受信器においては、高速な主信号に対する処理および波長ずれの検出を同じ回路が兼ねているため、高速なデジタル処理回路が必要となる。一方、図９に示した本発明の光伝送システムにおいては、マルチキャリア光源８−１の中の１つの局部発振光を波長誤差検出・補正のために割り当てることによって、主信号処理回路における信号処理負荷を低減することができる。
【００４３】
以上詳細に説明したように、本発明の光伝送システムによって、局部発振光源の数を減らし、マルチキャリア光源を用いて波長多重信号光に対する局部発振光を一括発生させることによって、デジタルコヒーレント受信系の構成を大幅に簡素化させコストを低減することができる。さらには、デジタルコヒーレント光通信方式において、信号光を発生する光送信器の光源波長と、光受信器の局部発振光源波長とを簡単に一致させることができる。
【産業上の利用可能性】
【００４４】
本発明は、一般的に光通信システムに利用することができる。特に、大容量の基幹光ネットワークに利用することができる。
【符号の説明】
【００４５】
１−１、１−２、１−Ｎ  光送信器
２、１３  光合波器
３、７、７−１、７−２  光分波器
４−１、４−２、４−Ｎ  光受信器
５−１、５−２、５−Ｎ  コヒーレント検波手段
６−１、６−２、６−Ｎ  局部発振光源
８、８−１、８−２  マルチキャリア局部発振光源
９  波長誤差検出回路
１０  発振器
１１  種光源
１２  光変調器
１６  分散性媒質
１７  光非線形媒質
１８  種パルス光源
【図１】
2011135497.tif 000003
【図２】
2011135497.tif 000004
【図３】
2011135497.tif 000005
【図４】
2011135497.tif 000006
【図５】
2011135497.tif 000007
【図６】
2011135497.tif 000008
【図７】
2011135497.tif 000009
【図８】
2011135497.tif 000010
【図９】
2011135497.tif 000011